(57)【要約】  液だれ防止装置（12）は、ノズル（10）を有する液体ディスペンサとともに使用される。液だれ防止装置（12）は、ノズル（10）に嵌り込むように適合されている。該装置は、外側断面寸法、内側断面寸法および内面を有する。該装置（12）は、増大した表面積をノズル（10）中の領域に提供する。2011521755.tif 000003
2011521755.tif 000002
【特許請求の範囲】
【請求項１】
ノズルを有する液体ディスペンサとともに使用するための液だれ防止装置であって、外側断面寸法、内側断面寸法および内面を有し、該ノズル中に配置されるように適合されており、該内側断面寸法が該内面の長さの和であり、該内面が該内側断面寸法が該外側断面寸法の長さよりも大きくなるように形成されている、液だれ防止装置。
【請求項２】
内面がハニカム構造を有する、請求項1記載の液だれ防止装置。
【請求項３】
内面が内方に延びる複数のアームを有する、請求項1記載の液だれ防止装置。
【請求項４】
内面が複数のアームを接続する内側部分をさらに含む、請求項3記載の液だれ防止装置。
【請求項５】
液だれ防止装置に取り付けられた多孔性部材をさらに含む、請求項1〜4のいずれか一項記載の液だれ防止装置。
【請求項６】
外側断面および内側断面を有する簡単なインサートをさらに含み、該外側断面が該内側断面とほぼ同じ形状を有し、かつ該簡単なインサートがその片側に取り付けられた多孔性部材を有する、請求項1〜4のいずれか一項記載の液だれ防止装置。
【請求項７】
多孔性部材が簡単なインサートの上流側に取り付けられ、かつ該簡単なインサートが液だれ防止装置の上流にある、請求項6記載の液だれ防止装置。
【請求項８】
多孔性部材が簡単なインサートの下流側に取り付けられ、かつ該簡単なインサートが液だれ防止装置の下流にある、請求項6記載の液だれ防止装置。
【請求項９】
液だれ防止装置に取り付けられた多孔性部材をさらに含む、請求項7記載の液だれ防止装置。
【請求項１０】
液だれ防止装置に取り付けられた多孔性部材をさらに含む、請求項8記載の液だれ防止装置。
【請求項１１】
各多孔性部材がガーゼであり、かつ液だれ防止装置に取り付けられたガーゼが、簡単なインサートに取り付けられたガーゼよりも目の細かいメッシュのガーゼである、請求項9記載の液だれ防止装置。
【請求項１２】
各多孔性部材がガーゼであり、かつ簡単なインサートに取り付けられたガーゼが、液だれ防止装置に取り付けられたガーゼよりも目の細かいメッシュのガーゼである、請求項10記載の液だれ防止装置。
【請求項１３】
ノズル中に一体に形成されている、請求項1〜12のいずれか一項記載の液だれ防止装置。
【請求項１４】
ノズルにプレス嵌めされるように適合されている、請求項1〜12のいずれか一項記載の液だれ防止装置。
【請求項１５】
ノズルが、内方に延びてインサートをノズル中の定位置に保持する少なくとも一つの戻り止めを有する、請求項14記載の液だれ防止装置。
【請求項１６】
複数の液だれ防止装置をさらに含む、請求項1〜15のいずれか一項記載の液だれ防止装置。
【請求項１７】
複数の液だれ防止装置の少なくとも一つが、それに取り付けられた多孔性部材を有する、請求項16記載の液だれ防止装置。
【請求項１８】
各液だれ防止装置が、それに取り付けられた多孔性部材を有する、請求項16記載の液だれ防止装置。
【発明の詳細な説明】
【技術分野】
【０００１】
発明の分野
本発明は、ディスペンサに関する。特に、操作後の液だれを減らす、ディスペンサのための液だれ防止装置に関する。
【背景技術】
【０００２】
発明の背景
液体ディスペンサはほぼあらゆるところで見られる。液体ディスペンサは、多くの公衆トイレ、病院、レストランおよび他の施設で見られる。より最近には、泡を小出しする液体ディスペンサに向かう傾向がある。これらのディスペンサは、泡以外のディスペンサに比べた場合、一回に小出しされる液体の量を減らすという明白な利点を有する。これらのディスペンサの多くは、使用後にいくらか液だれを起こす。これは、特に倒立型ディスペンサに当てはまる。一般に、液だれの量は、ディスペンサのタイプおよび液体の粘度に依存する。したがって、液だれの問題は、泡ディスペンサの場合にさらに問題である。理由は、泡ディスペンサと共に使用される低粘度ソープは、より液だれしやすいからである。
【０００３】
したがって、使用後の液だれを減らす装置を提供することは有利であろう。
【発明の概要】
【０００４】
本発明は、ノズルを有する液体ディスペンサとともに使用するための液だれ防止装置に関する。液だれ防止装置は、ノズルに嵌り込むように適合されている。装置は、外側断面寸法、内側断面寸法および内面を有する。内側断面寸法は内面の長さの和であり、内面は、内側断面寸法が外側断面寸法の長さよりも大きくなるように形成されている。
【０００５】
本発明のさらなる特徴が、以下の詳細な説明に記載されるか、その過程で明らかになるであろう。
【図面の簡単な説明】
【０００６】
以下、添付図面を参照しながら本発明を例として説明する。
【０００７】
【図１】本発明の液だれ防止装置が中に設置されたノズルの斜視図である。
【図２】図1のノズルの分解斜視図である。
【図３】図1および2に示す液だれ防止装置の斜視図である。
【図４】多孔性部材が片側に取り付けられた、図3の液だれ防止装置の斜視図である。
【図５】図1に示すノズルに類似するが、その中に設置された本発明の液だれ防止装置の代替態様を示すノズルの斜視図である。
【図６】図5に示す液だれ防止装置の斜視図である。
【図７】本発明の液だれ防止装置の別の代替図の斜視図である。
【図８】いずれもノズル中に配置された、図7に示す液だれ防止装置および円形液だれ防止装置の態様の切り欠き斜視図である。
【図９】ノズル中に、ただし図8に示す構造とは異なる構造で配置された、図6に示す液だれ防止装置および円形液だれ防止装置の態様の切り欠き斜視図である。
【図１０】ノズル中に配置された、図6に示す液だれ防止装置の態様の切り欠き斜視図である。
【図１１】ノズル中に、ただし図10に示す構造とは異なる構造で配置された、図6に示す液だれ防止装置の態様の切り欠き斜視図である。
【図１２】図8に示す構造と似た構造でノズル中に配置された、多孔性部材が取り付けられた図6に示す液だれ防止装置および円形液だれ防止装置の態様の切り欠き斜視図である。
【図１３】ノズル中に一体に形成された液だれ防止装置の代替態様の斜視図である。
【図１４】図13に示す液だれ防止装置の態様の切り欠き斜視図である。
【図１５】ノズルを含み、外側シェルの一部分が切り欠かれたソープディスペンサの斜視図である。
【図１６】図15の側面図である。
【図１７−１８−１９】図17は、代替ソープディスペンサの斜視図である。図18は、図17のディスペンサのノズル部分の斜視図である。図19は、図17および18のディスペンサのノズル部分の、ノズル部分から切り離された液だれ防止装置を示す斜視図である。
【発明を実施するための形態】
【０００８】
発明の詳細な説明
図1および2を参照すると、ノズルは概して10で示されている。ノズル10は、いくつかの例を以下に示す多様な異なる断面構造を有することができる少なくとも一つの液だれ防止装置12を含む。異なる構造すべてに共通の特徴は、液だれ防止装置が、表面積を増大させる内壁を含むことである。使用中、液だれ防止装置は、ノズル中の領域に増大した表面積を提供する。表面積を増すことにより、ディスペンサが使用されていないとき液体が付着するためのより多くの表面が得られ、それにより、液だれの可能性が減る。
【０００９】
ノズル10は、配置されたフォームコーン14である液だれ防止装置12を含む。フォームコーン14中にはフォームピストン20が配置され、その一端にトップハット弁18がある。フォームコーン14はボトルシール22に接続され、そのボトルシールは他方で、ディスペンサ26内にあるコラプシブルボトル24（図15および16に示す）に接続されている。特に輸送中にノズル10を封止するためにキャップ28が提供されている。
【００１０】
図1および3でよく見られる液だれ防止装置12は、外面30および内面32（図3に示す）を画定する内壁を有する。外面30の断面寸法は、ノズル10の出口部分34の内部断面寸法と合致する。内面32は、外面30に比べた場合、増大した表面積を有する。
【００１１】
図1〜3に示す液だれ防止装置において、内面は、交差アーム38によって二分割されて十字パターンと呼ばれるパターンを形成する内側部分またはリング36を含む。液だれ防止装置12は、その片側または両側に取り付けられた多孔性部材40を有することができる。
【００１２】
出口ノズルの少なくとも一部分の表面積を増すために内面に使用することができる多種多様な異なる構造があることが当業者によって理解されよう。いくつかの代替例が図6および7に示されている。しかし、明らかに、これらの構造は単なる例であり、他にも多くの構造を使用することができる。同様に、一つまたは複数の液だれ防止装置を使用することができる。液だれ防止装置に加えて、その片側または両側に多孔性部材を有する簡単なインサートをノズルに挿入することもできる。同様に、液だれ防止装置は、その片側または両側に取り付けられた多孔性部材を有することができる。
【００１３】
図5および6は、内面52が異なる構造を有する代替液だれ防止装置50を示す。内面52は八角形の中央リングまたは部分54を含み、複数のアーム56が中央リング54と液だれ防止装置の外側部分との間に延びている。アーム56は、いくぶん太字の「T」58および納屋形60のような形状を創製する。しかし、任意の適当な形状を使用することができることが当業者によって理解されよう。一般に、太字の「T」58および納屋形60によって創製される表面積は似ている。
【００１４】
液だれ防止装置のための別の代替構造が図7で62として示されている。液だれ防止装置62は、外側部分から内方に延びる複数のアーム65を有する。先に述べたように、アーム62は、液だれ防止装置の表面積を増すように働く。液だれ防止装置62の構造は、中央リング54を含まないことを除き、図5および6に示す液だれ防止装置50に似ている。
【００１５】
図8〜12は、液だれ防止装置と、液だれ防止装置に取り付けられる多孔性部材40の位置との様々な組み合わせを示す。図8は、簡単なインサート64の上流のフォームコーン14中に配置された液だれ防止装置62を示す。簡単なインサートは、その内側断面形状とほぼ同じである外側断面形状を有する。簡単なインサート64は、液だれ防止装置の下流側に取り付けられた多孔性部材40を有する。多孔性部材は液だれ防止装置62には取り付けられていない。液だれ防止装置62およびインサート64はフォームコーン14にプレス嵌めされている。加えて、戻り止め66がフォームコーン14の内側から内方に延びて、液だれ防止装置62および簡単なインサート64を定位置にさらに保持する。図9は、その上流側に取り付けられた多孔性部材を有する簡単なインサート64が、同じくその上流側に取り付けられた多孔性部材を有する液だれ防止装置50の上流側にある構造を示す。図10は、その上流端に多孔性部材を有する液だれ防止装置50がフォームコーン14の下流端にある構造を示す。図11は、図10に示す構造に似ているが、液だれ防止装置50がフォームコーン14の上流端にある。図12は、簡単なインサート64の上流端に取り付けられた多孔性部材および簡単なインサート64の下流端に取り付けられた多孔性部材を有する液だれ防止装置50を示す。好ましくは、多孔性部材40はガーゼである。液だれ防止装置に取り付けられた一つを超えるガーゼを有する構造において、ガーゼは、同じ規格であってもよいし、異なる規格であってもよいことが当業者によって理解されよう。異なる規格が使用される場合、通常、上流側のガーゼは、下流側のガーゼよりも目の粗い規格である。
【００１６】
ノズルの一部として一体に形成された出口部分を有するノズルを用いて同じ利点を達成することができることが理解されよう。そのような例が図13および14に示され、図中、液だれ防止装置70はフォームコーン72中に一体に形成されている。液だれ防止装置70は、図5および6に示す液だれ防止装置50の構造に似た構造を有するが、フォームコーン72の一部分として一体に形成されている。
【００１７】
先に説明したノズル10は、特に、図15および16に示す泡ディスペンサ26とで使用される。ノズル10は、泡ディスペンサ26中に収容されたコラプシブルボトル24に取り付けられる。このディスペンサは例として含まれるだけであり、本発明の液だれ防止装置は多種多様な液体および泡ディスペンサとで使用することができることが理解されよう。このディスペンサは、アクチュエータ80が解放されるとノズルを通して空気が逆に吸い込まれる自己清浄局面を有する。本発明の液だれ防止装置を使用することができる泡ディスペンサの別の例が図17〜19に示されている。本明細書で示すように、液だれ防止装置90はノズル92にプレス嵌めされている。液だれ防止装置90は、ノズル92の出口の表面積を増すためにその内側に形成されたハニカムパターン94を有する。
【００１８】
液だれ防止装置の具体的な構造およびガーゼの位置は、使用されるディスペンサならびに小出しされるソープの粘度および他の性質に依存することが当業者によって理解されよう。同様に、選択される具体的な構造は、選択される製造方法に依存することができる。
【００１９】
概して、本明細書に記載されるシステムは、液体ソープディスペンサ、特に泡ディスペンサとで使用するための液だれ防止装置に関する。必要に応じて、本発明の態様が本明細書に開示される。しかし、開示される態様は単に例示的であり、本発明は、多くの様々な代替形態で具現化されることができることが理解されるべきである。図面は原寸に比例したものではなく、特定の要素の詳細を示すためにいくつかの特徴が誇張または最小化されているかもしれず、新規な局面を不明瞭にしないために関連要素が省略されているかもしれない。したがって、本明細書に開示される具体的な構造的および機能的詳細は、限定的であると解釈されてはならず、単に、請求の範囲の基礎として、また、本発明を様々なやり方で使用することを当業者に教示するための代表的な基礎として解釈されなければならない。限定ではなく教示のために、例示される態様は液だれ防止装置に関する。
【００２０】
本明細書に使用される語「含む」および「含んでいる」は、排他的ではなく、包含的かつ開放的であると解釈されなければならない。具体的には、請求の範囲を含めて本明細書で使用される場合、語「含む」および「含んでいる」ならびにその変形は、指定された特徴、ステップまたは部品が含まれることを意味する。この語は、他の特徴、ステップまたは部品の存在を除外するものと解釈されてはならない。
【図１】
2011521755.tif 000004
【図２】
2011521755.tif 000005
【図３】
2011521755.tif 000006
【図４】
2011521755.tif 000007
【図５】
2011521755.tif 000008
【図６】
2011521755.tif 000009
【図７】
2011521755.tif 000010
【図８】
2011521755.tif 000011
【図９】
2011521755.tif 000012
【図１０】
2011521755.tif 000013
【図１１】
2011521755.tif 000014
【図１２】
2011521755.tif 000015
【図１３】
2011521755.tif 000016
【図１４】
2011521755.tif 000017
【図１５】
2011521755.tif 000018
【図１６】
2011521755.tif 000019
【図１７−１８−１９】
2011521755.tif 000020
【国際調査報告】
2011521755.tif 000021
2011521755.tif 000022
2011521755.tif 000023